(57)【特許請求の範囲】
【請求項１】
波長の異なる複数の光信号を含んだ波長多重信号光を複数の光伝送装置間で伝送すると共に、光伝送路上に存在するラマン増幅媒体に、波長の異なる複数の励起光を供給して、前記ラマン増幅媒体を伝搬する波長多重信号光をラマン増幅する光伝送方法であって、
前記複数の励起光のうちの少なくとも１つの励起光に対して、前記複数の光伝送装置で送受信する監視信号を重畳し、さらに、
前記監視信号を重畳する励起光は、該励起光の波長に対応したラマン利得帯域における前記光伝送路の損失が、他の励起光の波長に対応したラマン利得帯域における前記光伝送路の損失よりも小さくなるように、前記複数の励起光のうちから選択されることを特徴とするラマン増幅を用いた光伝送方法。
【請求項２】
請求項１に記載のラマン増幅を用いた光伝送方法であって、
前記光伝送路を介して前記光伝送装置に入力されるラマン増幅された波長多重信号光の一部を、前記監視信号の重畳された励起光の波長に対応したラマン利得帯域に通過帯域を持つ光フィルタに導き、該光フィルタの通過光を用いて前記監視信号を検出することを特徴とするラマン増幅を用いた光伝送方法。
【請求項３】
波長の異なる複数の光信号を含んだ波長多重信号光を伝送する複数の光伝送装置と、光伝送路上に存在するラマン増幅媒体に励起光を供給して、前記ラマン増幅媒体を伝搬する波長多重信号光をラマン増幅するラマン増幅器と、を備えた光伝送システムであって、
前記ラマン増幅器は、波長の異なる励起光を発生する複数の励起光源と、該複数の励起光源から前記ラマン増幅媒体に供給される波長の異なる励起光のうちの少なくとも１つの励起光に対して、前記複数の光伝送装置で送受信する監視信号を重畳する監視信号重畳部を含み、さらに、
前記監視信号重畳部は、前記監視信号を重畳する励起光として、該励起光の波長に対応したラマン利得帯域における前記光伝送路の損失が、他の励起光の波長に対応したラマン利得帯域における前記光伝送路の損失よりも小さくなる励起光を、前記複数の励起光のうちから選択することを特徴とする光伝送システム。
【請求項４】
請求項３に記載の光伝送システムであって、
前記光伝送装置は、前記光伝送路から送られるラマン増幅された波長多重信号光の一部を分岐する光カプラと、該光カプラからの分岐光が入力され、前記監視信号の重畳された励起光の波長に対応したラマン利得帯域に通過帯域を持つ光フィルタと、該光フィルタの通過光を用いて前記監視信号を検出する監視信号検出部と、を有することを特徴とする光伝送システム。
【発明の詳細な説明】
【０００１】
【発明の属する技術分野】
本発明は、波長多重（ＷＤＭ）信号光を増幅しながら中継伝送する光伝送方法および光伝送システムに関し、特に、ラマン増幅を利用してＷＤＭ信号光を増幅する場合における監視信号の重畳技術に関するものである。
【０００２】
【従来の技術】
波長の異なる複数の光信号を含んだＷＤＭ信号光を伝送するＷＤＭ光伝送システムでは、光増幅器を光中継器として用いる光増幅中継伝送方式を適用したシステム構成が知られている。上記の光増幅器としては、エルビウムドープ光ファイバ増幅器（ＥＤＦＡ）が一般的に用いられ、また最近では、ラマン増幅器を併用することが盛んに検討されている。
【０００３】
ラマン増幅器の利得は波長依存性が大きいが、異なる発振中心波長を持つ複数の励起光を用いることで、ラマン増幅の利得波長特性を平坦化することができる。例えば、文献Y.Emori, et al., "100nm bandwidth flat gain Raman amplifiers pumped and gain-equalized by 12-wavelength channel WDM high power laser diodes ", OFC'99, PD19, 1999. 等に記載されたラマン増幅器では、励起光パワーおよびその発振波長を調整することにより、ラマン増幅の利得波長帯域幅として１００ｎｍ程度を確保している。
【０００４】
【発明が解決しようとする課題】
ところで、光増幅中継伝送方式を適用したＷＤＭ光伝送システムについては、例えば、光送信端局、光中継器および光受信端局などの複数の光伝送装置で送受信する監視信号を主信号光に重畳して伝送することによって、各々の光伝送装置を監視制御する技術が知られている。この場合の監視信号を主信号光に重畳する従来の方法としては、例えば、ＥＤＦＡの励起光源の駆動電流を監視信号に従って変調する方法が公知である。この監視信号は、具体的には、例えば主信号光の伝送速度を１０Ｇｂ／ｓとしたとき、伝送速度が１０Ｍｂ／ｓ程度に設定され、その重畳度が５％程度とされる。
【０００５】
上記のような従来の監視制御技術を、現在検討が進められているＥＤＦＡおよびラマン増幅器を併用した光中継器を使用して構築したＷＤＭ光伝送システムに対して適用する場合を考えると、監視信号を主信号光に重畳する方法は、ＥＤＦＡの励起光を監視信号に従って変調する方法だけに限られるものではなく、より効率的な監視制御技術の実現が期待される。また、将来的には、ラマン増幅器だけを利用して光中継器を構成することも考えられるため、そのような光中継器を使用したシステムにも対応可能な監視制御技術を実現することは有用である。
【０００６】
本発明は上記の点に着目してなされたもので、複数の光伝送装置間で送受信される監視信号をラマン増幅用の励起光を利用して主信号光に重畳し、効率的な監視制御を実現するラマン増幅を用いた光伝送技術を提供することを目的とする。
【０００７】
【課題を解決するための手段】
上記の目的を達成するため、本発明によるラマン増幅を用いた光伝送方法は、ＷＤＭ信号光を複数の光伝送装置間で伝送すると共に、光伝送路上に存在するラマン増幅媒体に、波長の異なる複数の励起光を供給して、ラマン増幅媒体を伝搬するＷＤＭ信号光をラマン増幅する光伝送方法であって、前記複数の励起光のうちの少なくとも１つの励起光に対して、複数の光伝送装置で送受信する監視信号を重畳し、さらに、前記監視信号を重畳する励起光は、該励起光の波長に対応したラマン利得帯域における前記光伝送路の損失が、他の励起光の波長に対応したラマン利得帯域における前記光伝送路の損失よりも小さくなるように、前記複数の励起光のうちから選択されるようにした方法である。
【０００８】
かかる光伝送方法によれば、従来のＥＤＦＡの励起光を利用する場合のようにＷＤＭ信号光の波長帯域全体に監視信号を重畳させる必要がなくなり、励起効率の良い波長域で、監視信号の重畳をより効率的に行うことが可能になる。
【０００９】
また、前述した光伝送方法は、光伝送路を介して光伝送装置に入力されるラマン増幅されたＷＤＭ信号光の一部を、監視信号の重畳された励起光の波長に対応したラマン利得帯域に通過帯域を持つ光フィルタに導き、該光フィルタの通過光を用いて監視信号を検出するようにしてもよい。かかる方法によれば、各光伝送装置間での監視信号の伝達をより確実に行うことが可能になる。
【００１０】
さらに、上述した光伝送方法については、前段の光伝送装置から伝えられる監視信号を検出し、該検出した監視信号を抑圧するための抑圧信号を、ラマン増幅媒体に供給する波長の異なる励起光のうちで、前段の光伝送装置からの監視信号が重畳された励起光に対応する励起光に重畳するようにしてもよい。加えて、抑圧信号が重畳される励起光とは異なる励起光に対して、後段の光伝送装置に送る監視信号を重畳するようにしても構わない。かかる方法を適用することによって、監視信号を重畳する波長帯域の切り替えを行うことが可能になる。
【００１１】
上述したような光伝送方法は、ラマン増幅を利用してＷＤＭ信号光の伝送を行う光伝送システムおよびラマン増幅器に適用することが可能である。
【００１２】
【発明の実施の形態】
以下、本発明の実施の形態を図面に基づいて説明する。
図１は、本発明の光伝送方法を適用したラマン増幅器の基本構成を示す図である。
図１において、本ラマン増幅器１０は、波長の異なる励起光Ｐ１〜Ｐｍを発生する励起光発生部１１と、各励起光Ｐ１〜Ｐｍを光伝送路上に存在するラマン増幅媒体１３に供給する合波器１２と、ラマン増幅媒体１３に供給される励起光Ｐ１〜Ｐｍのうちの少なくとも１つの励起光に監視信号を重畳する監視信号重畳部１４と、を備え、ラマン増幅媒体１３を伝搬するＷＤＭ信号光（ここでは波長の異なる光信号Ｓ１〜Ｓｎを含むものとする）をラマン増幅して出力する構成である。
【００１３】
励起光発生部１１は、例えば図２に示すように、波長の異なる励起光Ｐ１〜Ｐｍを発生するための励起光源（ＬＤ）１１Ａ1〜１１Ａmおよび駆動回路（ＤＲＶ）１１Ｂ1〜１１Ｂmと、各励起光源１１Ａ1〜１１Ａmから出力される各波長の励起光Ｐ１〜Ｐｍを合波して出力する合波器１１Ｃと、を有する。ここでは、例えば励起光源１１Ａmを駆動する駆動回路１１Ｂmに対して、監視信号重畳部１４からの監視信号が与えられ、該監視信号に従って駆動回路１１Ｂmで生成される駆動電流が変調されることにより、励起光源１１Ａmで発生する励起光Ｐｍに監視信号が重畳される。なお、監視信号を重畳する励起光は、励起光Ｐｍに限られるものではなく、複数の励起光に監視信号を重畳することが可能であり、また、監視信号を重畳する励起光の波長は、後述するように光伝送路の損失波長特性に応じて適宜に選択することが可能である。
【００１４】
各励起光Ｐ１〜Ｐｍの波長λP1〜λPmは、例えば図３の模式図に示すように、ラマン利得Ｇ１〜Ｇｍが最大になる波長が、励起光の波長λP1〜λPmより１３．２ＴＨｚ小さい周波数に位置することに基づいて、複数の励起光Ｐ１〜Ｐｍを組み合わせることにより、ＷＤＭ信号光の波長帯域λS1〜λSnに亘って略平坦なラマン利得が得られるように、予め設定されている。なお、各励起光Ｐ１〜Ｐｍのパワーは、ここではラマン増幅媒体１３を含む光伝送路の損失波長特性を考慮して、図３の左側に示すようにそれぞれ調整されている。図示した各励起光パワーの設定例は、ＷＤＭ信号光の波長帯域λS1〜λSnについて、光伝送路の損失が短波長側になるほど増大する特性を示す場合に対応するものであり、長波長側の励起光パワーに比べて短波長側の励起光パワーがΔＰだけ大きくなるように設定してある。これにより、ＷＤＭ信号光の波長帯域λS1〜λSnについて、より平坦なラマン利得が実現されるようになる。
【００１５】
励起光発生部１１の合波器１１Ｃによって合波された各波長の励起光Ｐ１〜Ｐｍは、光伝送路上に挿入された合波器１２を介してラマン増幅媒体１３に供給され、ここでは図１に示すようにＷＤＭ信号光の伝送方向とは逆方向に伝搬する。そして、励起光Ｐ１〜Ｐｍの供給されたラマン増幅媒体１３をＷＤＭ信号光が伝搬することにより各波長の光信号Ｓ１〜Ｓｎが略等しい利得でラマン増幅される。このとき、励起光Ｐｍに重畳された監視信号は、その励起光波長λPmに対応するラマン利得Ｇｍに従って主に増幅される波長λSn付近の長波長側の光信号にのみ重畳される。これにより、光伝送システムを構成する各光伝送装置間でＷＤＭ信号光をラマン増幅しながら伝送することによって、監視信号の伝達も同時に行われるようになる。
【００１６】
図４は、図１のラマン増幅器１０を光中継器等に適用して構築したＷＤＭ光伝送システムの一例を示す概略図である。
図４のＷＤＭ光伝送システムでは、光信号Ｓ１,Ｓ２,…,Ｓｎを含んだＷＤＭ信号光が、光送信端局２００から光受信端局３００に光伝送路４００を介して伝送される。また、光伝送路４００上には、図１のラマン増幅器１０を具備した光中継器１００が所要の中継間隔で配置され、光伝送路４００を伝送されるＷＤＭ信号光がラマン増幅等されながら中継伝送される。なお、ここでは光送信端局２００、各光中継器１００および光受信端局３００が、光伝送システムを構成する複数の光伝送装置に該当することになる。
【００１７】
光送信端局２００は、例えば、光信号Ｓ１,Ｓ２,…,Ｓｎを生成するｎ個の光送信器（Ｅ／Ｏ）２０１と、各光送信器２０１から出力される光信号Ｓ１〜Ｓｎを合波して出力する合波器２０２と、合波器２０２から出力されるＷＤＭ信号光を所要のレベルまで増幅するポストアンプ２０３と、ポストアンプ２０３を介して監視信号を主信号光に重畳するＳＶ送信部２０４とを有する。上記のポストアンプ２０３としては、上述の図１に示したラマン増幅器１０を適用して、ラマン増幅用の励起光にＳＶ送信部２０４からの監視信号を重畳するようにしてもよく、または、従来と同様にＥＤＦＡを適用して、ＥＤＦＡの励起光にＳＶ送信部２０４からの監視信号を重畳するようにしてもよい。
【００１８】
各光中継器１００は、例えば図５に示すように、公知の構成を有するＥＤＦＡ１０１と上述の図１に示した基本構成を有するラマン増幅器１０とを併用して、光伝送路４００を介して送られてくるＷＤＭ信号光を所要のレベルまで増幅するものとする。具体的には、ＥＤＦＡ１０１の前段にラマン増幅器１０を配置し、ラマン増幅されたＷＤＭ信号光をＥＤＦＡ１０１によってさらに増幅するようにしている。また、ここでは、光送信端局２００または前段の光中継器１００において主信号光に重畳された監視信号を検出するために、光カプラ１０２、光フィルタ１０３および監視信号検出部１０４が各光中継器１００内に設けられる。
【００１９】
光カプラ１０２は、例えば、光中継器１００の入力端子とラマン増幅媒体１３の間などに挿入され、光伝送路４００から光中継器１００に入力されるＷＤＭ信号光の一部を分岐して光フィルタ１０３に出力する。光フィルタ１０３は、光カプラ１０２で分岐されたＷＤＭ信号光から、監視信号の重畳された励起光（図２および図３の設定例では励起光Ｐｍ）の波長に対応したラマン利得帯域に相当する波長光成分を抽出して監視信号検出部１０４に出力する。監視信号検出部１０４は、光フィルタ１０３で抽出された光信号を、ここでは図示しないが受光素子で電気信号に変換し、その電気信号に重畳されている監視信号を検出する。監視信号検出部１０４で検出された監視信号は、光中継器の監視制御に利用されると共に、ラマン増幅器１０の監視信号重畳部１４に伝えられる。
【００２０】
なお、光中継器１００として、ＥＤＦＡ１０１とラマン増幅器１０を併用する構成を示したが、本発明にかかる光伝送システムに用いられる光中継器等の光伝送装置としては、ラマン増幅器１０だけを利用して信号光の増幅を行う構成とすることも可能である。
光受信端局３００は、例えば、光伝送路４００から送られてくるＷＤＭ信号光を受信して所要のレベルまで増幅するプリアンプ３０１と、プリアンプ３０１で増幅されたＷＤＭ信号光を各波長の光信号Ｓ１〜Ｓｎに分波して出力する分波器３０２と、分波器３０２から出力される各光信号Ｓ１〜Ｓｎをそれぞれ受信処理するｎ個の光受信器（Ｏ／Ｅ）３０３と、プリアンプ３０１から分波器３０２に送られるＷＤＭ信号光の一部を分岐する光カプラ３０４と、光カプラ３０４の分岐光を用いてＷＤＭ信号光に重畳された監視信号を検出するＳＶ受信部３０５とを有する。上記のプリアンプ３０１、分波器３０２および各光受信器３０３は、従来の光受信端局に用いられているものと同様である。光カプラ３０４は、前述の光中継器１００内に設けた光カプラ１０２に対応するものであり、ＳＶ受信部３０５は、光中継器１００内の光フィルタ１０３および監視信号検出部１０４に対応した機能を備えている。
【００２１】
上記のような構成を有するＷＤＭ光伝送システムでは、光送信端局２００の各光送信器２０１で生成された各波長の光信号Ｓ１〜Ｓｎが合波器２０２で波長多重されてポストアンプ２０３に送られる。ポストアンプ２０３では、合波器２０２からのＷＤＭ信号光が増幅されると共に、ＳＶ送信部２０４からの監視信号を励起光に重畳することで監視信号を含んだＷＤＭ信号光が生成されて光伝送路４００に送信される。
【００２２】
光伝送路４００に送信されたＷＤＭ信号光は、光中継器１００に到達すると、ラマン増幅器１０に送られると共に、その一部が光カプラ１０２で分岐されて光フィルタ１０３に送られる。光フィルタ１０３では、光送信端局２００で監視信号を重畳した波長光成分が抽出される。光フィルタ１０３の通過光は、監視信号検出部１０４に送られて、光送信端局２００からの監視信号の検出処理が行われる。そして、監視信号検出部１０４の検出結果を利用して光中継器１００の動作が制御される。
【００２３】
なお、光フィルタ１０３を用いて監視信号を含んだ波長光を抽出するようにしたのは、監視信号の検出をより高い精度で行うためである。すなわち、ラマン増幅用の励起光を利用した監視信号の重畳では、監視信号が重畳される波長光成分はＷＤＭ信号光の一部の波長帯域となるため、光カプラ１０２の分岐光を光フィルタ１０３を介すことなく監視信号の検出処理に用いると、監視信号が重畳されていない波長光が雑音成分となり監視信号検出のＳＮ比が悪くなってしまう。そこで、光フィルタ１０３を用いて監視信号を含んだ波長光のみを抽出することで、良好なＳＮ比のモニタ光により監視信号の検出を行うことが可能になる。
【００２４】
光カプラ１０２を通過してラマン増幅器１０に送られたＷＤＭ信号光は、励起光Ｐ１〜Ｐｍが供給されたラマン増幅媒体１３を伝搬することでラマン増幅される。このとき、励起光Ｐ１〜Ｐｍのうちの励起光Ｐｍには、監視信号重畳部１４で生成された監視信号が重畳されていて、この励起光Ｐｍに対応したラマン利得帯域に該当する波長帯域のＷＤＭ信号光に上記の監視信号が重畳される。上記の監視信号重畳部１４で生成される監視信号は、監視信号検出部１０４で検出された光送信端局２００からの監視信号成分を抑圧すると同時に、次段の光中継器１００に伝える監視情報を示す信号である。
【００２５】
また、監視信号が重畳されるＷＤＭ信号光の波長帯域は、ラマン増幅媒体１３を含む光伝送路の損失が比較的小さくなる帯域に予め設計しておくことが望ましい。このような設計を行うことで、主信号光への監視信号の重畳をより効率的に行うことができる。すなわち、光伝送路の損失が比較的大きな波長帯域の信号光に対して監視信号を重畳するためには、その波長帯域に対応する励起光に比較的大振幅の重畳を行わなければならず、励起光源の動作が最大出力規格に対して厳しくなる可能性がある。これを避けるためには、光伝送路の損失が比較的小さな波長帯域の信号光に対して監視信号を重畳することで、励起光のパワーおよび振幅を小さくすることができ、励起光源を最大出力規格に対して余裕を持って動作させることが可能になる。具体例を挙げて説明すると、例えば、１．５５μｍ帯（Ｃバンド）のＷＤＭ信号光を考えた場合、ＯＨ基の影響で光ファイバ伝送路の損失が大きくなる１．４μｍ付近の短波長帯を避けて、比較的損失の小さい波長側にラマン利得帯域を持つ励起光に監視信号を重畳すればよい。なお、監視信号を重畳する励起光の選択に際しては、短波長側の励起光が、長波長側の励起光を増幅すること（pump to pump）による変調効率低下に注意する必要がある。
【００２６】
また、ここでは前段の装置から伝えられる監視信号を抑圧し、かつ、後段の装置に伝える監視情報を示す監視信号を監視信号重畳部１４で生成して、同じ波長の励起光（Ｐｍ）に監視信号を重畳するようにしているが、本発明はこれに限らず、隣り合う装置間で監視信号を重畳する励起光を切り替えることも可能である。具体的には、前段の装置で監視信号を重畳した励起光に対して監視信号を抑圧（相殺）する抑圧信号を重畳し、その励起光とは別の励起光に対して後段の装置に伝える監視信号を重畳するようにする。
【００２７】
上記のようにして光中継器１００前段のラマン増幅器１０で増幅されたＷＤＭ信号光は、さらに後段のＥＤＦＡ１０１に送られて増幅された後に、光伝送路４００に出力される。そして、上記の場合と同様にして各光中継器１００で順に増幅中継伝送されたＷＤＭ信号光は、光受信端局３００に到達すると、プリアンプ３０１に送られて所要のレベルまで増幅される。プリアンプ３０１で増幅されたＷＤＭ信号光は、分波器３０２に送られて各光信号Ｓ１〜Ｓｎに分波されると共に、その一部が光カプラ３０４で分岐されてＳＶ受信部３０５に送られる。
【００２８】
ＳＶ受信部３０５では、光カプラ３０４の分岐光から光フィルタ等を用いて監視信号の重畳された波長光成分が抽出され、該抽出された波長光を用いて前段の光中継器１００からの監視信号の検出処理が行われる。そして、ＳＶ受信部３０５の検出結果を利用して光受信端局３００の動作が制御される。
このように本ＷＤＭ光伝送システムによれば、ラマン増幅用の励起光に監視信号を重畳することで、各光伝送装置間で監視信号を送受信できるようになり、従来のＥＤＦＡの励起光を利用した場合のようにＷＤＭ信号光の波長帯域全体に監視信号を重畳させる必要がなくなるため、励起効率の良い波長域で、効率の良い監視信号の重畳を行うことが可能になる。また、光フィルタを用いて監視信号を含んだ波長光のみを抽出して監視信号の検出処理を行うことで、各光伝送装置間での監視信号の伝達をより確実に行うことが可能になる。このような監視信号の伝送技術は、将来、ラマン増幅器だけを利用して光増幅を行うようなシステムが実現された場合にも容易に対応することができ有用である。
【００２９】
なお、上述した実施形態では、ラマン増幅器１０として、波長の異なる複数の励起光をラマン増幅媒体に供給する構成を示したが、本発明はこれに限らず、単一の波長の励起光をラマン増幅媒体に供給する構成についても適用することが可能である。また、図５では、ラマン増幅媒体１３を光中継器１００内に配置した、いわゆる集中ラマン増幅型の構成を例示したが、光中継器１００に接続される光伝送路４００をラマン増幅媒体として利用する、いわゆる分布ラマン増幅型の構成とすることも可能である。
【００３０】
以上、本明細書で開示した主な発明について以下にまとめる。
【００３１】
（付記１）  波長の異なる複数の光信号を含んだ波長多重信号光を複数の光伝送装置間で伝送すると共に、光伝送路上に存在するラマン増幅媒体に励起光を供給して、前記ラマン増幅媒体を伝搬する波長多重信号光をラマン増幅する光伝送方式であって、
前記複数の光伝送装置で送受信する監視信号を前記ラマン増幅媒体に供給する励起光に重畳することを特徴とするラマン増幅を用いた光伝送方法。
【００３２】
（付記２）  付記１に記載のラマン増幅を用いた光伝送方法であって、
前記ラマン増幅媒体に波長の異なる複数の励起光を供給するとき、
前記複数の励起光のうちの少なくとも１つの励起光に対して前記監視信号を重畳することを特徴とするラマン増幅を用いた光伝送方法。
【００３３】
（付記３）  付記２に記載のラマン増幅を用いた光伝送方法であって、
前記監視信号を重畳する励起光は、前記光伝送路の損失波長特性に基づいて前記複数の励起光のうちから選択されることを特徴とするラマン増幅を用いた光伝送方法。
【００３４】
（付記４）  付記３に記載のラマン増幅を用いた光伝送方法であって、
前記監視信号を重畳する励起光は、該励起光の波長に対応したラマン利得帯域における前記光伝送路の損失が、他の励起光の波長に対応したラマン利得帯域における前記光伝送路の損失よりも小さくなるように、前記複数の励起光のうちから選択されることを特徴とするラマン増幅を用いた光伝送方法。
【００３５】
（付記５）  付記２に記載のラマン増幅を用いた光伝送方法であって、
前記光伝送路を介して前記光伝送装置に入力されるラマン増幅された波長多重信号光の一部を、前記監視信号の重畳された励起光の波長に対応したラマン利得帯域に通過帯域を持つ光フィルタに導き、該光フィルタの通過光を用いて前記監視信号を検出することを特徴とするラマン増幅を用いた光伝送方法。
【００３６】
（付記６）  付記２に記載のラマン増幅を用いた光伝送方法であって、
前段の光伝送装置から伝えられる監視信号を検出し、該検出した監視信号を抑圧するための抑圧信号を、前記ラマン増幅媒体に供給する波長の異なる励起光のうちで、前記前段の光伝送装置からの監視信号が重畳された励起光に対応する励起光に重畳することを特徴とするラマン増幅を用いた光伝送方法。
【００３７】
（付記７）  付記６に記載のラマン増幅を用いた光伝送方法であって、
前記抑圧信号が重畳される励起光とは異なる励起光に対して、後段の光伝送装置に送る監視信号を重畳することを特徴とするラマン増幅を用いた光伝送方法。
【００３８】
（付記８）  波長の異なる複数の光信号を含んだ波長多重信号光を伝送する複数の光伝送装置と、光伝送路上に存在するラマン増幅媒体に励起光を供給して、前記ラマン増幅媒体を伝搬する波長多重信号光をラマン増幅するラマン増幅器と、を備えた光伝送システムであって、
前記ラマン増幅器は、前記複数の光伝送装置で送受信する監視信号を、前記ラマン増幅媒体に供給する励起光に重畳する監視信号重畳部を含むことを特徴とする光伝送システム。
【００３９】
（付記９）  付記８に記載の光伝送システムであって、
前記ラマン増幅器は、波長の異なる励起光を発生する複数の励起光源を有し、前記監視信号重畳部が、前記各励起光源から前記ラマン増幅媒体に供給される波長の異なる励起光のうちの少なくとも１つの励起光に対して、前記監視信号を重畳することを特徴とする光伝送システム。
【００４０】
（付記１０）  付記９に記載の光伝送システムであって、
前記監視信号重畳部は、前記光伝送路の損失波長特性に基づいて、前記監視信号を重畳する励起光を選択することを特徴とする光伝送システム。
【００４１】
（付記１１）  付記１０に記載の光伝送システムであって、
前記監視信号重畳部は、前記監視信号を重畳する励起光として、励起光の波長に対応したラマン利得帯域における前記光伝送路の損失が相対的に小さくなるような励起光を選択することを特徴とする光伝送システム。
【００４２】
（付記１２）  付記９に記載の光伝送システムであって、
前記光伝送装置は、前記光伝送路から送られるラマン増幅された波長多重信号光の一部を分岐する光カプラと、該光カプラからの分岐光が入力され、前記監視信号の重畳された励起光の波長に対応したラマン利得帯域に通過帯域を持つ光フィルタと、該光フィルタの通過光を用いて前記監視信号を検出する監視信号検出部と、を有することを特徴とする光伝送システム。
【００４３】
（付記１３）  付記９に記載の光伝送システムであって、
前記ラマン増幅器が、前記複数の光伝送装置間の各中継区間に応じて複数設けられるとき、該各ラマン増幅器は、対応する光伝送装置で検出される前段の光伝送装置からの監視信号を抑圧するための抑圧信号を、前記ラマン増幅媒体に供給される波長の異なる励起光のうちで、前記前段の光伝送装置からの監視信号が重畳された励起光に対応する励起光に重畳する抑圧信号重畳部を含むことを特徴とする光伝送システム。
【００４４】
（付記１４）  付記１３に記載の光伝送システムであって、
前記各ラマン増幅器の監視信号重畳部は、後段の光伝送装置に送る監視信号を、前記抑圧信号重畳部で抑圧信号が重畳される励起光とは異なる励起光に重畳することを特徴とする光伝送システム。
【００４５】
（付記１５）  励起光を発生する励起光発生部と、該励起光発生部からの励起光をラマン増幅媒体に供給する合波器とを備え、前記ラマン増幅媒体を伝搬する波長多重信号光をラマン増幅するラマン増幅器であって、
前記波長多重信号光を伝送する複数の光伝送装置で送受信される監視信号を、前記励起光発生部から前記合波器を介して前記ラマン増幅媒体に供給される励起光に重畳する監視信号重畳部を含むことを特徴とするラマン増幅器。
【００４６】
（付記１６）  付記１５に記載のラマン増幅器であって、
前記励起光発生部が、波長の異なる励起光を発生する複数の励起光源を有し、前記監視信号重畳部が、前記各励起光源から前記合波器を介して前記ラマン増幅媒体に供給される波長の異なる励起光のうちの少なくとも１つの励起光に対して、前記監視信号を重畳することを特徴とするラマン増幅器。
【００４７】
（付記１７）  付記１６に記載のラマン増幅器であって、
前段の光伝送装置からの監視信号を抑圧するための抑圧信号を、前記各励起光源から前記合波器を介して前記ラマン増幅媒体に供給される波長の異なる励起光のうちで、前記前段の光伝送装置からの監視信号が重畳された励起光に対応する励起光に重畳する抑圧信号重畳部を含むことを特徴とするラマン増幅器。
【００４８】
（付記１８）  付記１７に記載のラマン増幅器であって、
前記監視信号重畳部は、後段の光伝送装置に送る監視信号を、前記抑圧信号重畳部で抑圧信号が重畳される励起光とは異なる励起光に重畳することを特徴とするラマン増幅器。
【００４９】
【発明の効果】
以上説明したように、本発明にかかるラマン増幅を用いた光伝送技術によれば、ラマン増幅用の複数の励起光のうちから光伝送路の損失波長特性を考慮して選択した励起光に対して監視信号を重畳することで、より効率的な監視信号の重畳を実現することが可能になる。また、光フィルタを用いて監視信号を含んだ波長光のみを抽出して監視信号を検出するようにすれば、各光伝送装置間での監視信号の伝達をより確実に行うことが可能になる。
【図面の簡単な説明】
【図１】本発明の光伝送方法を適用したラマン増幅器の基本構成を示す図である。
【図２】図１のラマン増幅器について、励起光発生部の具体的な構成例を示す図である。
【図３】図１のラマン増幅器について、励起光およびＷＤＭ信号光の波長配置と、各励起光に対応したラマン利得帯域とを説明するための図である。
【図４】図１のラマン増幅器を光中継器等に適用して構築したＷＤＭ光伝送システムの一例を示す概略図である。
【図５】図４のＷＤＭ光伝送システムに用いられる光中継器の具体的な構成例を示す図である。
【符号の説明】
１０    ラマン増幅器
１１    励起光発生部
１１Ａ1〜１１Ａm    励起光源（ＬＤ）
１１Ｂ1〜１１Ｂm    駆動回路（ＤＲＶ）
１１Ｃ，１２，２０２    合波器
１３    ラマン増幅媒体
１４    監視信号重畳部
１００    光中継器
１０１    ＥＤＦＡ
１０２，３０４    光カプラ
１０３    光フィルタ
１０４    監視信号検出部
２００    光送信端局
２０１    光送信器（Ｅ／Ｏ）
２０３    ポストアンプ
２０４    ＳＶ送信部
３００    光受信端局
３０１    プリアンプ
３０２    分波器
３０３    光受信器（Ｏ／Ｅ）
３０５    ＳＶ受信部
４００    光伝送路
Ｐ１〜Ｐｍ    励起光
Ｓ１〜Ｓｎ    信号光
【図１】
0004647147.tif 000002
【図２】
0004647147.tif 000003
【図３】
0004647147.tif 000004
【図４】
0004647147.tif 000005
【図５】
0004647147.tif 000006